(57)【要約】      （修正有）【課題】マットの表裏面の反転時に、コントローラをも反転させることができ、寝ながらコントローラを手軽に手元操作できるようにしたマット式電位・温熱治療器の提供。【解決手段】コントローラ２の表裏両面に、スイッチボタン、制御ボタン１９等を備えた制御盤１８を設け、そのコントローラを電位・温熱治療用マットから取り外してマットの表面側と裏面側とに反転させてマット１に脱着可能とすると共に、反転前と反転後にマットのコネクタ９と接続可能なコネクタ１０を別々に備えた。前記コントローラをマットから取り外すことなくマットの表面側と裏面側とに回転して反転可能に装着軸によりマットに取付けた。さらに前記コントローラをこれが備えるコネクタがマットのコネクタと脱着可能な方向に往復スライド可能となるようにマットに取付けた。【選択図】      図２
2004159926.tif 000002
【特許請求の範囲】
【請求項１】
電位・温熱治療用マットと、マットの電位・温度等を制御するコントローラを備えたマット式電位・温熱治療器において、コントローラは表裏両面に制御盤が設けられ、制御盤にはスイッチボタン、制御ボタン等が設けられ、そのコントローラはマットから取り外してマットの表面側と裏面側とに反転させてマットに脱着可能であり、コントローラは反転前と反転後にマットのコネクタと接続可能なコネクタを別々に備えたことを特徴とする電位・温熱治療器。
【請求項２】
電位・温熱治療用マットと、マットの電位・温度等を制御するコントローラを備えたマット式電位・温熱治療器において、コントローラは表裏両面に制御盤が設けられ、制御盤にはスイッチボタン、制御ボタン等が設けられ、そのコントローラはマットから取り外すことなくマットの表面側と裏面側とに回転して反転可能に装着軸によりマットに取付けられ、コントローラは反転前と反転後にマットのコネクタと接続可能なコネクタを別々に備えたことを特徴とする電位・温熱治療器。
【請求項３】
請求項２記載のマット式電位・温熱治療器において、コントローラは、コントローラのコネクタを電位・温熱治療用マットのコネクタと脱着可能な方向に往復スライド可能に電位・温熱治療用マットに取付けられ、且つ、両コネクタを離脱させた状態で回転させて表裏面を反転可能としたことを特徴とするマット式電位・温熱治療器。
【請求項４】
請求項３記載のマット式電位・温熱治療器において、コントローラは、コントローラのコネクタを電位・温熱治療用マットのコネクタと脱着可能な方向に往復スライド可能に装着軸により電位・温熱治療用マットに取付けられ、両コネクタを離脱させた状態で回転させて表裏面を反転可能としたことを特徴とするマット式電位・温熱治療器。
【発明の詳細な説明】
【０００１】
【発明の属する技術分野】
本発明はマット式電位・温熱治療器に関するものである。
【０００２】
【従来の技術】
マット式電位・温熱治療器は従来からある。従来のマット式電位・温熱治療器は人間が寝ることのできる広さのマットと、マットの電位・温度等を制御するコントローラとを備えている。マットは表と裏とで生地が異なり、例えば、表は夏用生地、裏は冬用生地として、季節に応じてマットの表裏を使い分けられるようになっていた。しかし、従来のマット式電位・温熱治療器はマットとコントローラとが一体になっているため、マットの表裏面を反転させるとコントローラの表裏面も反転して、コントローラの操作が面倒である。この問題を解決するため、従来はコントローラをマットと分離し、コントローラをリード線によりマットに接続したものがある。
【０００３】
【発明が解決しようとする課題】
しかし、コントローラをリード線によりマットに接続したものは、コントローラがマットから離れるため、マットに寝ながらコントローラを操作する場合にコントローラを探しにくいとか、手元操作しにくいといった難点がある。
【０００４】
【課題を解決するための手段】
本発明の目的はマットの表裏面の反転時に、コントローラをも反転させることができ、寝ながらコントローラを手軽に手元操作できるようにしたものである。
【０００５】
本件出願の請求項１のマット式電位・温熱治療器は、電位・温熱治療用マットと、マットの電位・温度等を制御するコントローラを備えたマット式電位・温熱治療器において、コントローラは表裏両面に制御盤が設けられ、制御盤にはスイッチボタン、制御ボタン等が設けられ、そのコントローラはマットから取り外してマットの表面側と裏面側とに反転させてマットに脱着可能であり、コントローラは反転前と反転後にマットのコネクタと接続可能なコネクタを別々に備えた
ものである。
【０００６】
本件出願の請求項２のマット式電位・温熱治療器は、電位・温熱治療用マットと、マットの電位・温度等を制御するコントローラを備えたマット式電位・温熱治療器において、コントローラは表裏両面に制御盤が設けられ、制御盤にはスイッチボタン、制御ボタン等が設けられ、そのコントローラはマットから取り外してマットの表面側と裏面側とに反転させてマットに脱着可能であり、コントローラは反転前と反転後にマットのコネクタと接続可能なコネクタを別々に備えたものである。
【０００７】
本件出願の請求項３のマット式電位・温熱治療器は、請求項２記載のマット式電位・温熱治療器において、コントローラは、コントローラのコネクタを電位・温熱治療用マットのコネクタと脱着可能な方向に往復スライド可能に電位・温熱治療用マットに取付けられ、且つ、両コネクタを離脱させた状態で回転させて表裏面を反転可能としたことを特徴とするマット式電位・温熱治療器。
【０００８】
本件出願の請求項４のマット式電位・温熱治療器は、請求項３記載のマット式電位・温熱治療器において、コントローラは、コントローラのコネクタを電位・温熱治療用マットのコネクタと脱着可能な方向に往復スライド可能に装着軸により電位・温熱治療用マットに取付けられ、両コネクタを離脱させた状態で回転させて表裏面を反転可能としたものである。
【０００９】
【発明の実施の形態】
（実施形態１）
本発明のマット式電位温熱治療器は図１に示すように、電位・温熱治療用マット１とマットの電位・温度等を制御するコントローラ２とから構成される。電位・温熱治療用マット（以下説明の便宜上「マット」という、）１は人間が寝ることができるサイズの長方形であり、表裏面が夏用と冬用といったように異なる生地で作られている異質材両面使用可能タイプであっても、表面と裏面とが同じ生地で作られている同質材両面使用可能タイプであってもよい。このマット１の内部には通常の電位・温熱治療用マットと同様の配線がなされている。
【００１０】
マット１の一角は切り欠かれて凹部３が形成され、その凹部３に樹脂成型されたＬ字型の縁材４が螺子や接着剤等の接着手段で固定されて縁取りされている。この縁材４にはコントローラ２を脱着可能としてある。そのために、縁材４に図３のように溝状のガイド５を形成し、その内側に軸差込具６をガイド５に沿って往復スライド可能にかつ回転自在に装備し、軸差込具６にコントローラ２の装着軸７（図２）を抜き差し可能としてある。
【００１１】
縁材４には図３のようにコントローラ２を嵌合離脱可能な嵌合突起８が形成され、また、コネクタ（雄コネクタ）９が装備されており、このコネクタ９にコントローラ２のコネクタ（雌コネクタ）１０を脱着可能としてある。本発明では図３とは逆に、マット１のコネクタ９を雌コネクタ、コントローラ２のコネクタ１０を雌コネクタとすることもできる。
【００１２】
前記ガイド５の全内周面には内溝１１がリング状に形成され、その内溝１１内に前記軸差込具６が図３の矢印ｂ−ｂ´方向に回転可能に、また、長手方向（図３の矢印ａ−ａ´方向）に往復スライド可能に嵌込まれている。軸差込具６は円盤状であり、その中央部に軸差込孔２２が開口されている。
【００１３】
前記マット１のコネクタ９は図３に示すように、コネクタ枠１２内の中心に高圧電位線電極１３が１本突出し、その外側一方に感熱線電極１４及びヒーター線電極１５が、外側他方に感熱線電極１４及びヒーター線電極１５が夫々突出している。
【００１４】
前記嵌合突起８は図３に示すように楔形の突起であり、縁材４のコーナーの長手壁内面１６に沿って横長に成形されている。嵌合突起８は長手壁内面１６の外側からコーナー側に向けて次第に太く形成されている。
【００１５】
前記コントローラ２はマット１の凹部３に嵌合できる外形サイズに形成されている。コントローラ２はマット１の温度や電位を調節するためのものであり、電源スイッチ、制御ボタン、表示部（モニター画面）等を備える。
【００１６】
コントローラ２は図２に示すように、コントローラ本体１７の表裏面に電位・温熱治療器の操作を行う制御盤（コントロール盤）１８が設けられている。制御盤１８はコントローラ２の裏面にも同様に形成されている。両制御盤１８には電源スイッチとか温度調節用ボタン、電位強度調節用ボタンといった各種制御ボタン１９が設けられ、各種制御ボタン１９はコントローラ２内の電気回路（制御回路）と接続されて、それら制御ボタン１９を操作することによりマット１の発熱温度、発生電位等を調節することができるようにしてある。
【００１７】
図２のように、コントローラ本体１７の内側面２０の中央部には装着軸７が外側に突出して設けられている。装着軸７はコントローラ本体の樹脂製ケース２１と一体成形されており、装着具６の差込孔２２とワンタッチで差込み、脱着可能な構造にしてある。装着軸７が前記差込孔２２へ差し込まれると、コントローラ２は装着軸６を回転軸として回転させて、表裏面を反転させることができるようにしてある。
【００１８】
コントローラ２の両側面２３、２４（装着軸７を挟んで対称位置）にはコネクタ１０が装備されている。この、コネクタ１０はマット１のコネクタ９と嵌合離脱可能である。二つのコネクタ１０は同じ構造であり、いずれもマット１のコネクタ９に嵌合離脱可能としてある。両コネクタ１０はマット１のコネクタ９と嵌合することによりコントローラ本体１７内の電気回路（制御回路）と接続される。
【００１９】
前記コントローラ２の内側面２０の両端部には図２に示すように嵌合溝２５が形成されており、夫々の嵌合溝２５はコントローラ２の両側方に開口している。これら嵌合溝２５は前記マット１の嵌合突起８と嵌合してマット１との連結を確実にするためのものである。両嵌合溝２５はいずれか一方を嵌合突起８と嵌合させることが出来、コントローラ２の表裏面を反転させると他方の嵌合溝２５を嵌合突起８と嵌合させることができるようにしてある。嵌合溝２５はコントローラ２を外側（図２の上側）にスライドさせると嵌合突起８から外れ、逆に、コントローラ２を内側（図２の下側）にスライドさせると嵌合突起８と嵌合できるようにしてある。嵌合時にコントローラ２の装着軸７を回転軸としてコントローラ２を回転させてコントローラ２の表裏面を反転させることができる。コントローラ２の表裏面を反転させることにより、コントローラ２の他方のコネクタ１０をマット１のコネクタ９と接続させることができる。
【００２０】
図２に示すコントローラ２のコネクタ１０の前面には開閉蓋を設けて、その開閉蓋により、使用されない方のコネクタを閉じて、コネクタに塵芥や湿気などが入らないようにすることができる。蓋の開閉は任意の方法や機構とすることができる。例えば、自重によって落下して開口部を閉じる蓋や、磁石によって開口部を閉じる蓋等とすることができる。
【００２１】
前記コントローラ２の外側面には図２に示すように電源コード差し込み口２６が形成されている。この電源コード差し込み口２６は装着軸７と反対側に設けられている。図２では商用電源を供給できる電源コード２７を差し込むことができるようにしてある。電源は商用電源に限られずバッテリー等の業務用電源であってもよい。
【００２２】
（使用例）
本発明のマット式電位・温熱治療器のマット及びコントローラの反転方法の一例を以下に説明する。
１．図４（ａ）はコントローラ２がＡ面を表にしてマットに装着され、マット側コネクタ９とコントローラ側コネクタ１０とが接合され、嵌合溝２５と嵌合突起８とが嵌合されている状態を示す。この状態からコントローラ２を回転させて表裏面を反転させるには図４（ｂ）〜図４（ｄ）のようにする。
２．図４（ｂ）のように、矢印方向にコントローラ２をスライドさせて、嵌合突起８と嵌合溝２５との嵌合を離脱させる。
３．図４（ｃ）に示すようにコントローラ２を装着軸７を回転軸として１８０度回転させてコントローラのＢ面を表にする（表裏面を反転させる。）。その状態で同図の矢印方向にコントローラ２を移動させる。
４．コントローラ２の移動を進めて、嵌合溝２５と嵌合突起８とを嵌合させ、更に移動を進めて図４（ｄ）のようにマットのコネクタ９とコントローラ２のコネクタ１０（図４ａで接合されているコネクタと反対側のコネクタ）とを接合させる。これにより、コントローラ２の表裏面が反転してマット１に装着される。５．上記４のコントローラ２が反転した状態で、マット１の表裏面を反転させると、電位・温熱治療器を表裏面を入れ替えて使う事ができる。
【００２３】
前記説明はコントローラ２の表裏面を先に反転させてからマット１を裏返しにしてマットの表裏面を反転させる場合であるが、本発明では、先にマット１を回転させてその表裏面を逆にし（裏返しにし）てから、コントローラ２を反転させることもできる。
【００２４】
（実施形態２）
前記実施形態１はコントローラ２を図２の左右（矢印Ａ−Ｂ）方向にスライドさせて、マット１のコネクタ９とコントローラ２のコネクタ１０とを嵌合、離脱させるようにしてあるが、本発明は次のようにすることもできる。マット１のコネクタ９と嵌合突起８もマット１の装着具６と同じ向きに取付け、コントローラ２のコネクタ１０を装着軸７と同じ方向に取り付けて、コネクタを図２の前後（矢印Ｃ−Ｄ）方向に引いたり、押したりして、マット１のコネクタ９とコントローラ２のコネクタ１０とを嵌合、離脱させるようにすることもできる。コントローラとマットとの嵌合離脱は他の機構や手段によることもできる。
【００２５】
（実施形態３）
前記実施形態１、２はコントローラ２をマット１から取り外さずにコントローラ２の表裏面を反転できるようにしてあるが、本発明はコントローラをマットから一旦取り外し、その状態で表裏面を反転させることもできる。このとき、コントローラとマットとを脱着させる機構として、前記実施形態１、２においては軸差込部６及び装着軸７を用いたが、これには限られず、他の機構や手段によることもできる。
【００２６】
（実施形態４）
前記各実施形態では、ガイド５が、マット１の縁材４の長手方向中央に備えられ、コントローラ２も、内側面２０の対応する位置に装着軸を備え、図２中矢印Ａ−Ｂ方向にスライド可能になるようにしてあるが、本発明は、ガイドを、マットの縁材の幅方向中央に備え、コントローラも、それに対応する位置に装着軸を備え（図２中２４）、図２中矢印Ｃ−Ｄ方向にスライドさせることも可能である。このとき、マットの縁材のコネクタや嵌合突起、コントローラのコネクタや嵌合溝の位置については、前記実施形態１、２のように、夫々長手方向、幅方向のいずれにも備えることが可能である。
【００２７】
【発明の効果】
本件出願の請求項１記載のマット式電位・温熱治療器は次のような効果を有する。
（１）反転前と反転後の接続コネクタを別々に備えることで、コントローラを反転させてマットに脱着可能であるため、コントローラがマットから離れることがなく、マットに寝ながらコントローラを手軽に操作することができる。
（２）リード線等でコントローラとマットとを接続している場合と異なり、リード線のねじれや断線等の故障の虞も少なく、マット式電位・温熱治療器を安全に長く使うことが可能である。
【００２８】
本件出願の請求項２記載のマット式電位・温熱治療器は次のような効果を有する。
（１）コントローラを脱着することなくマットの表裏を入れ替えられるので、マット部の表裏反転後に、コントローラをマットに装着し直す等のコントローラ部の取扱いの煩雑さをさらに解消できる。
（２）コントローラが脱着しないため、マットとコントローラとのコネクタの接続位置決めも容易になり、接触不良等の故障が起こり難くなる。
【００２９】
本件出願の請求項３記載のマット式電位・温熱治療器は次のような効果を有する。
（１）コントローラが、コネクタの脱着可能な方向に往復スライドすることができるので、コネクタの接続も、向きを間違えずに確実に行うことができる。
（２）コントローラを、両コネクタを離脱させた状態で回転させるので、左右どちら側にも自由に回転させることができ、コントローラの取扱いがより容易になる。
【００３０】
本件出願の請求項４記載のマット式電位・温熱治療器は次のような効果を有する。
（１）コントローラが装着軸を備えるので、回転、スライドのみならず、マットとの脱着も可能となり、より自由にコントローラを取扱うことができる。
（２）また、コントローラに嵌合溝を、マット側の縁材に嵌合突起を夫々備えた場合には、より確実にコネクタを接続することができ、コネクタの破損も防ぐことができる。また、コントローラのガタつきも防ぐ事ができる。
【図面の簡単な説明】
【図１】本発明の電位・温熱治療器を示した斜視図。
【図２】図１に示した電位・温熱治療器のコントローラとマット側ケースの接続の様子を示した説明図。
【図３】図１に示した電位・温熱治療器の凹部の縁材を示した拡大斜視図。
【図４】（ａ）〜（ｄ）は図１に示したマット式電位・温熱治療器のコントローラの反転説明図。
【符号の説明】
１  マット
２  コントローラ
３  凹部
４  縁材
５  ガイド
６  軸差込具
７  装着軸
８  嵌合突起
９  コネクタ（雄）
１０  コネクタ（雌）
１８  制御盤
１９  制御ボタン
２５  嵌合溝
【図１】
2004159926.tif 000003
【図２】
2004159926.tif 000004
【図３】
2004159926.tif 000005
【図４】
2004159926.tif 000006